【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
複数のエンハンスドパワーヘッドルーム領域を規定するエンハンスドパワーヘッドルーム報告構成を、サービング基地局から、受信することと、
現在のパワーヘッドルームが前記複数のエンハンスドパワーヘッドルーム領域のうちの、先のパワーヘッドルームとは異なる１つに関連付けられていることを決定することと、
前記サービング基地局に前記現在のパワーヘッドルームを報告することと、
を備える、方法。
【請求項２】
前記現在のパワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、請求項１に記載の方法。
【請求項３】
前記エンハンスドパワーヘッドルーム報告構成は、複数の構成グループを備え、前記複数の構成グループの各々は、前記複数のエンハンスドパワーヘッドルーム領域のうちの１つまたは複数を備える、請求項１に記載の方法。
【請求項４】
前記複数の構成グループは、異なるタイマー、異なるエンハンスドパワーヘッドルーム報告トリガしきい値、異なる報告期間、およびエンハンスドパワーヘッドルーム報告のためのイネーブルインジケータのうちの少なくとも１つを有する構成グループを備える、請求項３に記載の方法。
【請求項５】
前記複数のエンハンスドパワーヘッドルーム報告構成のうちの少なくとも１つに少なくとも部分的に基づいて前記複数の構成グループのうちの少なくとも１つのためのエンハンスドパワーヘッドルーム報告を無効にすることをさらに備える、請求項３に記載の方法。
【請求項６】
前記エンハンスドパワーヘッドルーム報告構成は、前記複数のエンハンスドパワーヘッドルーム領域のうちの少なくとも１つに関わる測定パスロスの変化に関連付けられたパワーヘッドルーム報告トリガを無効にする、請求項１に記載の方法。
【請求項７】
前記エンハンスドパワーヘッドルーム報告構成に少なくとも部分的に基づいてエンハンスドパワーヘッドルーム領域内のパワーヘッドルーム報告を無効にすることをさらに備える、請求項１に記載の方法。
【請求項８】
ユーザ機器（ＵＥ）におけるワイヤレス通信のための装置であって、
複数のエンハンスドパワーヘッドルーム領域を規定するエンハンスドパワーヘッドルーム報告構成を、サービング基地局から、受信するための手段と、
現在のパワーヘッドルームが前記複数のエンハンスドパワーヘッドルーム領域のうちの、先のパワーヘッドルームとは異なる１つに関連付けられていることを決定するための手段と、
前記サービング基地局に前記現在のパワーヘッドルームを報告するための手段と、
を備える、装置。
【請求項９】
前記現在のパワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、請求項８に記載の装置。
【請求項１０】
前記エンハンスドパワーヘッドルーム報告構成は、複数の構成グループを備え、前記複数の構成グループの各々は、前記複数のエンハンスドパワーヘッドルーム領域のうちの１つまたは複数を備える、請求項８に記載の装置。
【請求項１１】
前記複数の構成グループは、異なるタイマー、異なるエンハンスドパワーヘッドルーム報告トリガしきい値、異なる報告期間、およびエンハンスドパワーヘッドルーム報告のためのイネーブルインジケータのうちの少なくとも１つを有する構成グループを備える、請求項１０に記載の装置。
【請求項１２】
前記複数のエンハンスドパワーヘッドルーム報告構成のうちの少なくとも１つに少なくとも部分的に基づいて前記複数の構成グループのうちの少なくとも１つのためのエンハンスドパワーヘッドルーム報告を無効にするための手段をさらに備える、請求項１０に記載の装置。
【請求項１３】
前記エンハンスドパワーヘッドルーム報告構成は、前記複数のエンハンスドパワーヘッドルーム領域のうちの少なくとも１つに関わる測定パスロスの変化に関連付けられたパワーヘッドルーム報告トリガを無効にする、請求項８に記載の装置。
【請求項１４】
前記エンハンスドパワーヘッドルーム報告構成に少なくとも部分的に基づいてエンハンスドパワーヘッドルーム領域内のパワーヘッドルーム報告を無効にするための手段をさらに備える、請求項８に記載の装置。
【請求項１５】
コンピュータ上で実行されたとき、請求項１〜請求項７のうちのいずれかに記載の方法を実行するための命令を備える、コンピュータプログラム。
【手続補正２】
【補正対象書類名】明細書
【補正対象項目名】０１３５
【補正方法】変更
【補正の内容】
【０１３５】
[0143]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
[Ｃ１]  ユーザ機器（ＵＥ）におけるワイヤレス通信の方法であって、
複数のエンハンスドパワーヘッドルーム領域を規定するエンハンスドパワーヘッドルーム報告構成を、サービング基地局から、受信することと、
現在のパワーヘッドルームが前記複数のエンハンスドパワーヘッドルーム領域のうちの、先のパワーヘッドルームとは異なる１つに関連付けられていることを決定することと、  前記サービング基地局に前記現在のパワーヘッドルームを報告することと、を備える、方法。
[Ｃ２]  前記現在のパワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、Ｃ１に記載の方法。
[Ｃ３]  前記エンハンスドパワーヘッドルーム報告構成は、複数の構成グループを備え、前記複数の構成グループの各々は、前記複数のエンハンスドパワーヘッドルーム領域のうちの１つまたは複数を備える、Ｃ１に記載の方法。
[Ｃ４]  前記複数の構成グループは、異なるタイマー、異なるエンハンスドパワーヘッドルーム報告トリガしきい値、異なる報告期間、およびエンハンスドパワーヘッドルーム報告のためのイネーブルインジケータのうちの少なくとも１つを有する構成グループを備える、Ｃ３に記載の方法。
[Ｃ５]  前記複数のエンハンスドパワーヘッドルーム報告構成のうちの少なくとも１つに少なくとも部分的に基づいて前記複数の構成グループのうちの少なくとも１つのためのエンハンスドパワーヘッドルーム報告を無効にすることをさらに備える、Ｃ３に記載の方法。
[Ｃ６]  前記エンハンスドパワーヘッドルーム報告構成は、前記複数のエンハンスドパワーヘッドルーム領域のうちの少なくとも１つに関わる測定パスロスの変化に関連付けられたパワーヘッドルーム報告トリガを無効にする、Ｃ１に記載の方法。
[Ｃ７]  前記エンハンスドパワーヘッドルーム報告構成に少なくとも部分的に基づいてエンハンスドパワーヘッドルーム領域内のパワーヘッドルーム報告を無効にすることをさらに備える、Ｃ１に記載の方法。
[Ｃ８]  ユーザ機器（ＵＥ）におけるワイヤレス通信の方法であって、
サービング基地局へのアップリンク通信のための前記ＵＥのためのパワーヘッドルームに少なくとも部分的に基づいて、エンハンスドパワーヘッドルーム報告のためのトリガリングイベントが生じたことを決定することと、
前記ＵＥが前記サービング基地局へのデータの送信のために割り当てられたアップリンクリソースを有していないことを決定することと、
アップリンクデータリソースに対する要求を備える前記サービング基地局へのアップリンクシグナリングを送ることと、を備える、方法。
[Ｃ９]  前記サービング基地局へのデータ送信のためにアップリンクリソースの割り当てを受信することと、
アップリンクリソースの前記割り当てを使用して前記サービング基地局に前記データ送信を送信することと、をさらに備え、ここにおいて、前記データ送信は、前記パワーヘッドルームを備える、Ｃ８に記載の方法。
[Ｃ１０]  前記データ送信を送信することは、媒体アクセス制御（ＭＡＣ）レイヤ制御エレメントを使用してエンハンスドパワーヘッドルーム報告を送信することをさらに備える、Ｃ９に記載の方法。
[Ｃ１１]  前記データ送信を送信することに少なくとも部分的に基づいてエンハンスドパワーヘッドルーム報告に関連付けられた少なくとも１つのタイマーをリセットすることを、さらに備える、Ｃ９に記載の方法。
[Ｃ１２]  前記パワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、Ｃ８に記載の方法。
[Ｃ１３]  前記トリガリングイベントは、媒体アクセス制御（ＭＡＣ）レイヤにおいて生じる、Ｃ８に記載の方法。
[Ｃ１４]  エンハンスドパワーヘッドルーム報告のための前記トリガリングイベントは、測定パスロスの変化、パワーヘッドルーム報告の構成、パワーヘッドルーム報告の再構成、セル再構成、タイマーの終了、またはそれらの組み合わせを備える、Ｃ８に記載の方法。
[Ｃ１５]  アップリンクデータリソースに対する前記要求は、スケジューリング要求（ＳＲ）、ランダムアクセスメッセージ、またはそれらの組み合わせを備える、Ｃ８に記載の方法。
[Ｃ１６]  ユーザ機器（ＵＥ）におけるワイヤレス通信のための装置であって、
複数のエンハンスドパワーヘッドルーム領域を規定するエンハンスドパワーヘッドルーム報告構成を、サービング基地局から、受信するための手段と、
現在のパワーヘッドルームが前記複数のエンハンスドパワーヘッドルーム領域のうちの、先のパワーヘッドルームとは異なる１つに関連付けられていることを決定するための手段と、
前記サービング基地局に前記現在のパワーヘッドルームを報告するための手段と、を備える、装置。
[Ｃ１７]  前記現在のパワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、Ｃ１６に記載の装置。
[Ｃ１８]  前記エンハンスドパワーヘッドルーム報告構成は、複数の構成グループを備え、前記複数の構成グループの各々は、前記複数のエンハンスドパワーヘッドルーム領域のうちの１つまたは複数を備える、Ｃ１６に記載の装置。
[Ｃ１９]  前記複数の構成グループは、異なるタイマー、異なるエンハンスドパワーヘッドルーム報告トリガしきい値、異なる報告期間、およびエンハンスドパワーヘッドルーム報告のためのイネーブルインジケータのうちの少なくとも１つを有する構成グループを備える、Ｃ１８に記載の装置。
[Ｃ２０]  前記複数のエンハンスドパワーヘッドルーム報告構成のうちの少なくとも１つに少なくとも部分的に基づいて前記複数の構成グループのうちの少なくとも１つのためのエンハンスドパワーヘッドルーム報告を無効にするための手段をさらに備える、Ｃ１８に記載の装置。
[Ｃ２１]  前記エンハンスドパワーヘッドルーム報告構成は、前記複数のエンハンスドパワーヘッドルーム領域のうちの少なくとも１つに関わる測定パスロスの変化に関連付けられたパワーヘッドルーム報告トリガを無効にする、Ｃ１６に記載の装置。
[Ｃ２２]  前記エンハンスドパワーヘッドルーム報告構成に少なくとも部分的に基づいてエンハンスドパワーヘッドルーム領域内のパワーヘッドルーム報告を無効にするための手段をさらに備える、Ｃ１６に記載の装置。
[Ｃ２３]  ユーザ機器（ＵＥ）におけるワイヤレス通信のための装置であって、
サービング基地局へのアップリンク通信のための前記ＵＥのためのパワーヘッドルームに少なくとも部分的に基づいて、エンハンスドパワーヘッドルーム報告のためのトリガリングイベントが生じたことを決定するための手段と、
前記ＵＥが前記サービング基地局へのデータの送信のために割り当てられたアップリンクリソースを有していないことを決定するための手段と、
アップリンクデータリソースに対する要求を備える前記サービング基地局へのアップリンクシグナリングを送るための手段と、を備える、装置。
[Ｃ２４]  前記サービング基地局へのデータ送信のためにアップリンクリソースの割り当てを受信するための手段と、
アップリンクリソースの前記割り当てを使用して前記サービング基地局に前記データ送信を送信するための手段と、をさらに備え、ここにおいて、前記データ送信は、前記パワーヘッドルームを備える、Ｃ２３に記載の装置。
[Ｃ２５]  前記データ送信を送信するための前記手段は、媒体アクセス制御（ＭＡＣ）レイヤ制御エレメントを使用してエンハンスドパワーヘッドルーム報告を送信するように動作可能である、Ｃ２４に記載の装置。
[Ｃ２６]  前記データ送信を送信することに少なくとも部分的に基づいてエンハンスドパワーヘッドルーム報告に関連付けられた少なくとも１つのタイマーをリセットするための手段を、さらに備える、Ｃ２４に記載の装置。
[Ｃ２７]  前記パワーヘッドルームは、規定数のアップリンクリソース、ターゲット変調および符号化スキーム、ターゲット信号対雑音比、または現在のカバレッジエンハンスメント構成のうちの１つまたは複数に少なくとも部分的に基づいて決定されるエンハンスドパワーヘッドルームを備える、Ｃ２３に記載の装置。
[Ｃ２８]  前記トリガリングイベントは、媒体アクセス制御（ＭＡＣ）レイヤにおいて生じる、Ｃ２３に記載の装置。
[Ｃ２９]  エンハンスドパワーヘッドルーム報告のための前記トリガリングイベントは、測定パスロスの変化、パワーヘッドルーム報告の構成、パワーヘッドルーム報告の再構成、セル再構成、タイマーの終了、またはそれらの組み合わせを備える、Ｃ２３に記載の装置。
[Ｃ３０]  アップリンクデータリソースに対する前記要求は、スケジューリング要求（ＳＲ）、ランダムアクセスメッセージ、またはそれらの組み合わせを備える、Ｃ２３に記載の装置。